(57)【要約】【課題】マウスピースとは別体に構成された鍔部を有し、既存のマウスピースに後付け可能なマウスピース用補助具、及び、マウスピースにそのようなマウスピース用補助具が装着されたマウスピース組立を提供すること。【解決手段】マウスピース用補助具１は、鍔部５を備える。鍔部５は、筒状に構成されたマウスピース１１を挿入可能な穴部３が形成され、かつ、当該穴部の外周方向に広がる。【選択図】図１
2018192131.tif 000002
【特許請求の範囲】
【請求項１】
筒状に構成されたマウスピース（１１）と別体で構成され、当該マウスピースを挿入可能な穴部（３）が形成され、かつ、当該穴部の外周方向に広がる鍔部（５）を、
備えたマウスピース用補助具。
【請求項２】
請求項１に記載のマウスピース用補助具であって、
前記鍔部は、紙製であるマウスピース用補助具。
【請求項３】
請求項１又は２に記載のマウスピース用補助具であって、
前記穴部は、前記マウスピースの外周よりも小径に形成され、
前記穴部の周囲における前記鍔部に、前記穴部の周囲から放射状に形成された複数の切り込み（７）と、
隣接して形成された一対の前記切り込みに挟まれた前記鍔部によって構成され、前記穴部に対する前記マウスピースの挿入方向に沿って折り返されることにより、前記穴部に対する前記挿入方向への前記マウスピースの移動を許容し、かつ、前記穴部に対する前記挿入方向とは逆方向への前記マウスピースの移動を抑制するように構成された返し部（５Ａ）と、
を更に備えたマウスピース用補助具。
【請求項４】
請求項１〜３のいずれか１項に記載のマウスピース用補助具であって、
前記鍔部の外周が楕円形であるマウスピース用補助具。
【請求項５】
請求項１〜４のいずれか１項に記載のマウスピース用補助具であって、
前記穴部の内周が楕円形であるマウスピース用補助具。
【請求項６】
請求項１〜５のいずれ１項に記載のマウスピース用補助具であって、
前記鍔部に形成され、当該鍔部の外周部分を取り除くことによって当該鍔部を小径化することが可能となるように構成された切り取り線（５Ｂ）を、
更に備えたマウスピース用補助具。
【請求項７】
請求項１〜６のいずれか１項に記載のマウスピース用補助具であって、
前記鍔部に形成され、当該鍔部が他のマウスピース用補助具における鍔部に重ねられたときに、当該他のマウスピース用補助における鍔部に係合する係合部（５１）を、
更に備えたマウスピース用補助具。
【請求項８】
筒状に構成されたマウスピース（１１）を挿入可能な穴部（３）が形成され、かつ、当該穴部の外周方向に広がる鍔部（５）を、備えたマウスピース用補助具（１，２１，３１）と、
前記筒状に構成され、前記穴部に挿入されたマウスピース（１１）と、
を備えたマウスピース組立。
【請求項９】
請求項８に記載のマウスピース組立であって、
前記穴部は、前記マウスピースの外周よりも小径に形成され、
前記穴部の周囲における前記鍔部に、前記穴部の周囲から放射状に形成された複数の切り込み（７）と、
隣接して形成された一対の前記切り込みに挟まれた前記鍔部によって構成され、前記穴部に対する前記マウスピースの挿入方向に沿って折り返されることにより、前記穴部に対する前記挿入方向への前記マウスピースの移動を許容し、かつ、前記穴部に対する前記挿入方向とは逆方向への前記マウスピースの移動を抑制するように構成された返し部（５Ａ）と、
を更に備えたマウスピース組立。
【請求項１０】
請求項９に記載のマウスピース組立であって、
前記マウスピース用補助具（１，２１，３１）を２つ備え、かつ、いずれの前記鍔部（５）も平面状に構成され、
前記マウスピース用補助具のそれぞれに対する前記穴部への前記マウスピースの挿入方向が異なることにより、前記マウスピース用補助具のそれぞれに備えられた返し部は、他方の前記鍔部から離れる側に折り返されたマウスピース組立。
【請求項１１】
請求項１０に記載のマウスピース組立であって、
前記鍔部同士が重なり合っているマウスピース組立。
【請求項１２】
請求項１０に記載のマウスピース組立であって、
前記鍔部同士の間に、両者の間から空気が漏れるのを抑制する樹脂又はゴム製の封止部（１３）が挟まれたマウスピース組立。
【請求項１３】
請求項１０〜１２のいずれか１項に記載のマウスピース組立であって、
前記鍔部の少なくともいずれか一方に、他方の前記鍔部と係合した係合部（５１）が設けられたマウスピース組立。
【請求項１４】
請求項９〜１３のいずれか１項に記載のマウスピース組立であって、
前記返し部と前記マウスピースとの間に、前記鍔部と前記マウスピースとの間から空気が漏れるのを抑制する樹脂又はゴム製の環状部材（１５）が挟まれたマウスピース組立。
【発明の詳細な説明】
【技術分野】
【０００１】
本開示は、マウスピースに取り付けて使用されるマウスピース用補助具、及び、そのマウスピース用補助具を備えたマウスピース組立に関する。
【背景技術】
【０００２】
従来、呼吸機能検査等において被験者が口にくわえるマウスピースでは、筒状のマウスピースの外周面と被験者の唇との隙間から呼気又は吸気（以下、いずれも息という）が漏れることが課題となっている。そこで、例えば特許文献１には、マウスピースの一端から距離Ｉの近傍で径を小さくし、この部分から端部に行くにつれて断面が拡開するように、マウスピースを構成することが開示されている。その場合、径が小さくされた部分を被験者が歯で噛めば、断面が拡開した部分が唇に当たり、息が漏れるのをある程度抑制することができる。
【先行技術文献】
【特許文献】
【０００３】
【特許文献１】特開２００７−４４２９１号公報
【発明の概要】
【発明が解決しようとする課題】
【０００４】
ところが、特許文献１に記載のマウスピースでも、断面形状が円形又は楕円形となるように構成されたマウスピースの外周面に、被験者が唇を密着させるのは容易ではなく、息漏れを十分に抑制できない場合がある。
【０００５】
そこで、本開示の一局面は、既存のマウスピースであっても息漏れを抑制できるマウスピース用補助具、及び、マウスピースにそのようなマウスピース用補助具が装着されたマウスピース組立を提供することを目的としている。
【課題を解決するための手段】
【０００６】
本開示の一態様としてのマウスピース用補助具は、筒状に構成されたマウスピース（１１）と別体で構成され、当該マウスピースを挿入可能な穴部（３）が形成され、かつ、当該穴部の外周方向に広がる鍔部（５）を、備える。
【０００７】
このため、本開示によれば、前記穴部に前記マウスピースが挿入されると、鍔付のマウスピースと同様の構成を有するマウスピース組立が出来上がる。すなわち、鍔部が既存のマウスピースに後付け可能となる。唇の内側の粘膜と上下の歯との間に作られる口腔前庭部に鍔部を収めれば、鍔部が唇の内側の粘膜に密着するなどして、唇がマウスピースの外周面に密着していなくても息漏れを抑制することができる。
【０００８】
なお、この欄及び特許請求の範囲に記載した括弧内の符号は、一つの態様として後述する実施形態に記載の具体的手段との対応関係を示すものであって、本発明の技術的範囲を限定するものではない。
【図面の簡単な説明】
【０００９】
【図１】第１実施形態のマウスピース用補助具を表す正面図である。
【図２】そのマウスピース用補助具を用いたマウスピース組立を表す側面図である。
【図３】そのマウスピース組立における前記マウスピース用補助具を表す切断端面図である。
【図４】そのマウスピース組立の使用方法を表す側面図である。
【図５】そのマウスピース組立の使用方法を表す正面図である。
【図６】前記マウスピース組立の変形例を表す断面図である。
【図７】そのマウスピース組立における封止部の構成を表す正面図である。
【図８】前記マウスピース組立の他の変形例を表す切断端面図である。
【図９】第２実施形態のマウスピース用補助具を表す正面図である。
【図１０】第３実施形態のマウスピース用補助具を表す正面図である。
【図１１】そのマウスピース用補助具を用いたマウスピース組立を表す側面図である。
【発明を実施するための形態】
【００１０】
以下、図面を参照しながら、本開示の実施形態を説明する。
［１．第１実施形態］
［１−１．マウスピース用補助具の構成］
図１に示すように、第１実施形態のマウスピース用補助具１は、例えば図２に示すように筒状に構成されたマウスピース１１を挿入可能な穴部３が形成された鍔部５を備えている。鍔部５は、表面に撥水加工がなされた厚紙によって、穴部３の外周方向に広がる平面状に構成され、その外周及び穴部３の内周は、楕円形に構成されている。
【００１１】
また、穴部３の周囲には、複数の切り込み７が放射状に形成されている。穴部３は、マウスピース１１の外周よりも若干小径に形成されている。また、切り込み７は、各切り込み７の末端を結ぶ楕円がマウスピース１１の外周よりも若干大径となるように形成されている。なお、マウスピース１１の外周とは、当該マウスピース１１が構成する筒の軸に直交する断面における外周である。この外周も、穴部３と相似形の楕円形である。このため、鍔部５における、隣接して形成された一対の切り込み７に挟まれた部分は、次のような返し部５Ａとして構成される。
【００１２】
［１−２．マウスピース組立の構成］
図２，図３に示すマウスピース組立１０は、上述したマウスピース用補助具１を２個（以下、区別する必要がある場合はそれぞれをマウスピース用補助具１Ａ，１Ｂという）と、既存のマウスピース１１を１個用いて構成される。
【００１３】
マウスピース用補助具１Ａには、マウスピース１１の一端１１Ａ側からマウスピース１１が穴部３に対して挿入される。すると、当該マウスピース用補助具１Ａにおける返し部５Ａは、マウスピース１１の挿入方向に沿って折り返される。このため、当該返し部５Ａは、穴部３に対する前記挿入方向（すなわち、図２，図３における右方向）へのマウスピース１１の移動を許容し、かつ、穴部３に対する前記挿入方向とは逆方向（すなわち、図２，図３における左方向）へのマウスピース１１の移動を抑制する。なお、図３は、図１に示したマウスピース用補助具１のIII−III線切断端面の、マウスピース用補助具１Ａ，１Ｂとしてマウスピース１１が挿入された後の状態を表す。
【００１４】
一方、マウスピース用補助具１Ｂには、マウスピース１１の他端１１Ｂ側からマウスピース１１が穴部３に対して挿入される。すると、当該マウスピース用補助具１Ｂにおける返し部５Ａは、マウスピース１１の挿入方向に沿って折り返される。このため、当該返し部５Ａは、穴部３に対する前記挿入方向（すなわち、図２，図３における左方向）へのマウスピース１１の移動を許容し、かつ、穴部３に対する前記挿入方向とは逆方向（すなわち、図２，図３における右方向）へのマウスピース１１の移動を抑制する。
【００１５】
このため、各マウスピース用補助具１Ａ，１Ｂにおける平面状の鍔部５が、図２，図３に示すように互いに重なると、一対のマウスピース用補助具１Ａ，１Ｂはどちらの方向へも動かなくなる。本実施形態のマウスピース組立１０は、このように、既存のマウスピース１１にマウスピース用補助具１Ａ，１Ｂを後付することによって構成される。
【００１６】
なお、マウスピース用補助具１Ａ，１Ｂにおける各鍔部５は、単に重ねられるだけでもよく、接着剤等によって接着されてもよい。また、マウスピース１１の一端１１Ａが被験者に加えられる側である場合、図２，図３に示すように、マウスピース用補助具１Ａ，１Ｂは、他端１１Ｂよりも一端１１Ａに近い側で鍔部５同士が重ねられるとよい。
【００１７】
このように構成されたマウスピース組立１０は、図４，図５に示すように、被験者９０が一端１１Ａ側から口腔内に挿入し、鍔部５を唇９１の内側の粘膜と上下の歯９２との間に作られる口腔前庭部に収めて使用される。
【００１８】
［１−３．効果］
以上詳述した第１実施形態によれば、以下の効果を奏する。
（１Ａ）本実施形態のマウスピース組立１０は、前述のように口腔前庭部に鍔部５を収めて使用される。これにより、鍔部５が唇９１の内側の粘膜に密着するため、唇９１がマウスピース１１の外周面に密着していなくても、唇９１とマウスピース１１との間（例えば、口角）から息が漏れるのを抑制することができる。
【００１９】
（１Ｂ）本実施形態によれば、各マウスピース用補助具１Ａ，１Ｂにおける各穴部３にマウスピース１１が挿入されると、樹脂等で一体成型された鍔付のマウスピースと同様の構成を有するマウスピース組立１０が出来上がる。すなわち、鍔部をマウスピースの外周面に設けるために、鍔部をマウスピースと一体に樹脂等で成形すると、当該鍔付のマウスピースの製造コストが上昇するが、本実施形態では、鍔部５が既存のマウスピース１１に後付け可能となる。
【００２０】
また、マウスピース１１としては紙製の安価なものが使用でき、マウスピース用補助具１も紙製であるため２０円程度の製造コストしかかからないので、本実施形態のマウスピース用補助具１及びマウスピース組立１０は医療機関等において使い捨てすることも可能となる。すなわち、前述のように樹脂等で一体成形された鍔付のマウスピースを使用する場合、医療機関等では、当該鍔付のマウスピースを既存のマウスピースのように使い捨てにすることができず、洗浄して使い回すことになる。これに対して、本実施形態では、前述のように使い捨てにすることにより、医療機関等におけるマウスピースの管理コストの上昇も抑制することができる。
【００２１】
（１Ｃ）本実施形態のマウスピース用補助具１では、鍔部５を構成する紙には表面に撥水加工が施してある。このため、１回の検査時間が５〜１０分である呼吸機能検査に対しては、少なくとも１回の検査中は十分に強度を確保することができる。
【００２２】
（１Ｄ）マウスピース用補助具１における返し部５Ａは、マウスピース１１の挿入方向に沿って折り返されることにより、前記挿入方向へのマウスピース１１の移動を許容し、かつ、前記挿入方向とは逆方向へのマウスピース１１の移動を抑制する。このため、簡単な構成によって鍔部５に対するマウスピース１１の移動を規制することができ、呼吸機能検査時等に被験者９０等の口からマウスピース１１だけが飛び出してしまうことも容易に抑制することができる。
【００２３】
（１Ｅ）更に、マウスピース組立１０では、マウスピース用補助具１Ａ，１Ｂは、マウスピース１１に対して互いに反対側の端部１１Ａ，１１Ｂから挿入され、鍔部５が互いに重なることによりマウスピース１１に対して位置決めされる。このため、簡単な構成によって、マウスピース１１に対する鍔部５の位置を安定して位置決めすることができる。
【００２４】
（１Ｆ）また、前記実施形態では、鍔部５の外周が楕円形であるので、当該鍔部５は、一層容易に前記口腔前庭部に挿入することができ、かつ、その口腔前庭部に一層容易に密着することができる。このため、前述のように息が漏れるのを、一層良好に抑制することができる。
【００２５】
（１Ｇ）また、本実施形態では、穴部３の内周が楕円形である。このため、外周が楕円形のマウスピース１１を穴部３に挿入して、マウスピース組立１０を組み立てることができる。外周が楕円形のマウスピース１１は、外周が円形のマウスピースに比べて、被験者９０がくわえやすく、かつ、唇９１をマウスピース１１の外周面に密着させるのが容易である。このため、本実施形態では、息が漏れたりマウスピース１１が口から飛び出したりするのを、一層良好に抑制することができる。
【００２６】
［１−４．第１実施形態のマウスピース用補助具を用いたマウスピース組立の変形例］
前記実施形態では、マウスピース用補助具１Ａ，１Ｂにおける各鍔部５が重なり合っているが、これに限定されるものではない。例えば、図６に示すマウスピース組立１０Ａのように、マウスピース用補助具１Ａ，１Ｂにおける鍔部５同士の間に、両者の間から空気が漏れるのを抑制する樹脂又はゴム製の封止部１３が挟まれてもよい。
【００２７】
図６に示す例では、封止部１３は、半径方向に切断した断面が略正方形となる円環状の、輪ゴムのような構造を有している。また、図７に示すように、その封止部１３は、内周面が、穴部３の内周面よりも外周側に存在し、かつ、切り込み７の末端を結ぶ楕円よりも内周側に存在するように大きさ及び配置が規定されている。なお、上述の図６は、図７に示したマウスピース用補助具１及び封止部１３のVI−VI線断面の、マウスピース用補助具１Ａ，１Ｂとしてマウスピース１１が挿入された後の状態を表す。
【００２８】
このように構成されたマウスピース組立１０Ａでは、マウスピース用補助具１Ａ，１Ｂにおける鍔部５同士の間から空気が漏れるのを封止部１３によって抑制して、前述のように呼吸機能検査時に息が漏れるのを一層良好に抑制することができる。また、マウスピース用補助具１Ａ，１Ｂがマウスピース１１に対してずれるのも抑制することができる。なお、封止部の構成はこれに限定されるものではなく、例えば、より平面的な形状であってもよい。
【００２９】
また、マウスピース用補助具１Ａ，１Ｂにおける各鍔部５が重なり合っている場合であっても、図８に示すマウスピース組立１０Ｂのように、各鍔部５それぞれの返し部５Ａとマウスピース１１との間に、樹脂又はゴム製の環状部材１５が挟まれてもよい。図８の例では、環状部材１５はマウスピース１１の外周面に密着する円環状に構成されている。その環状部材１５の外周面に、各マウスピース用補助具１Ａ，１Ｂの返し部５Ａが密着している。このため、環状部材１５は、各鍔部５とマウスピースと１１の間から空気が漏れるのを抑制する。従って、この場合も、前述のように呼吸機能検査時に息が漏れるのを一層良好に抑制することができる。
【００３０】
なお、この場合、環状部材１５とマウスピース用補助具１Ａ，１Ｂとが図８に示すように組み合わされた上で、マウスピース１１に装着されてもよい。また、先にマウスピース１１に環状部材１５を装着しておき、そのマウスピース１１の両端１１Ａ，１１Ｂからマウスピース用補助具１Ａ，１Ｂを装着して環状部材１５に乗り上げさせてもよい。
【００３１】
［２．第２実施形態］
［２−１．第１実施形態との相違点］
第２実施形態は、基本的な構成は第１実施形態と同様であるため、相違点について以下に説明する。なお、第１実施形態と同じ符号は、同一の構成を示すものであって、先行する説明を参照する。
【００３２】
前述した第１実施形態のマウスピース用補助具１では、鍔部５の外周は一定の長径及び短径を有する楕円状に構成された。これに対して、第２実施形態のマウスピース用補助具２１は、以下に示すように、必要に応じて鍔部５を小径化することが可能なように構成された点で異なる。図９に示すように、マウスピース用補助具２１の鍔部５には、大きさの異なる楕円状に構成された２本の切り取り線５Ｂ（すなわち、ミシン目）が形成されている。なお、内側の切り取り線５Ｂは穴部３を包含し、外側の切り取り線５Ｂは内側の切り取り線５Ｂを包含し、かつ、鍔部５の外周に包含される配置及び大きさに構成されている。この切り取り線５Ｂのいずれかで鍔部５を切断することにより、鍔部５における当該切り取り線５Ｂよりも外周部分を取り除くことができる。
【００３３】
［２−２．効果］
以上説明した第２実施形態によれば、前述した第１実施形態の効果（１Ａ）〜（１Ｇ）を奏し、更に、以下の効果を奏する。
【００３４】
（２Ａ）日本人成人男性の平均的な口周りのサイズとして、口裂幅は約５０ｍｍ、口腔前庭部の上下幅が約３５ｍｍであることが知られている。このことから、鍔部５の形状は長径が６０ｍｍで短径が４０ｍｍ程度の楕円形状であることが望ましい。但し、女性は口裂幅が短く４６ｍｍ程度である。また、高齢者ほど口裂幅は広く、約５６ｍｍである。本実施形態では、このような年齢差や性差に応じて適切な位置に切り取り線５Ｂを形成しておくことができる。その場合、被験者９０の年齢や性別に応じた適切な切り取り線５Ｂを選択して、それよりも外周側の鍔部５を取り除くことができる。そうすることによって、被験者９０の年齢や性別に拘わらず、前述のように息漏れを抑制することが一層確実に実行できる。
【００３５】
なお、小児や体格の大きい人種向けにはこれよりも大きいものや小さいものを用意する必要があり、従来のシリコーン製マウスピースでは成人用、小児用といった複数の部品を提供している。これに対して、マウスピース用補助具２１は、紙製であるため、複数の切り取り線５Ｂを形成しておいて鍔部５を所望の大きさに調整することができる。例えば、鍔部５を最大サイズ（例えば、６０ｍｍ×４０ｍｍ又はそれ以上）に成形しておき、被験者９０に合わせて前記各種サイズにカットして使用できるようにしてもよい。
【００３６】
［３．第３実施形態］
［３−１．第１実施形態との相違点］
第３実施形態は、基本的な構成は第１実施形態と同様であるため、相違点について以下に説明する。なお、第１実施形態と同じ符号は、同一の構成を示すものであって、先行する説明を参照する。
【００３７】
前述した第１実施形態のマウスピース用補助具１では、鍔部５の外周は単純な楕円状に構成された。これに対して、第３実施形態のマウスピース用補助具３１は、図１０に示すように、鍔部５の短径方向両端から、一対の矩形の係合部５１を突出させた点でことなる。なお、一対の係合部５１は、鍔部５と一体の厚紙によって構成されている。各係合部５１には、その先端よりも鍔部５との付け根寄りの位置に折り線５３が設定されている。なお、折り線５３は、鍔部５の長径方向と平行に設定されている。また、鍔部５との付け根、すなわち鍔部５の外周の大部分を構成する楕円形の延長線上には、直線状の折り線５４が設定されている。
【００３８】
図１１に示すマウスピース組立３０は、マウスピース１１の一端１１Ａからマウスピース用補助具３１を、マウスピース１１の他端１１Ｂから第１実施形態のマウスピース用補助具１を、それぞれ白抜き矢印に沿って挿入して構成されている。第１実施形態のマウスピース組立１０と同様に、マウスピース用補助具１における鍔部５とマウスピース用補助具３１における鍔部５とを重ねた後、折り線５３，５４で係合部５１が折られる。すると、係合部５１の先端はマウスピース用補助具１における鍔部５の裏側（すなわち、マウスピース用補助具３１とは反対側の面）に達し、係合部５１はマウスピース用補助具１における鍔部５に係合する。
【００３９】
［３−２．効果］
以上説明した第３実施形態によれば、前述した第１実施形態の効果（１Ａ）〜（１Ｇ）を奏し、更に、以下の効果を奏する。
【００４０】
（３Ａ）本実施形態では、マウスピース用補助具３１における係合部５１がマウスピース用補助具１における鍔部５と係合している。このため、各マウスピース用補助具１，３１における鍔部５同士を、互いに重なり合った状態に一層安定して保持することができる。従って、本実施形態では、前記息漏れが発生するのを一層良好に抑制することができる。
【００４１】
（３Ｂ）また、このように、各マウスピース用補助具１，３１における鍔部５同士を、互いに重なり合った状態に安定して保持することにより、マウスピース用補助具１，３１がマウスピース１１に対してずれるのも一層良好に抑制することができる。
【００４２】
［４．他の実施形態］
以上、本開示を実施するための形態について説明したが、本開示は上述の実施形態に限定されることなく、種々変形して実施することができる。
【００４３】
（４Ａ）前記各実施形態のマウスピース用補助具１，２１，３１は、いずれも紙製であったが、これに限定されるものではない。例えば、シリコーン等の樹脂やゴムによって同様のマウスピース用補助具を構成してもよい。その場合、穴部をマウスピースの外径よりも小さめに成形しておいて、マウスピースの挿入時に弾性変形させることにより、切り込みや返し部を省略することができる場合がある。
【００４４】
（４Ｂ）また、鍔部を構成する紙を一部切り起こして、歯で噛む部分を設けてもよい。その場合、被験者は、当該部分を噛んでマウスピース組立を口腔内に保持することができる。
【００４５】
（４Ｃ）また、前記各実施形態では鍔部５の外周を楕円状に構成したが、これに限定されるものではない。例えば、鍔部の外周の形状は菱形や六角形等であってもよい。また、穴部の内周の形状も、真円としたりその他の形状とするなど、挿入されるマウスピースの形状に合わせて種々の形状とすることができる。
【００４６】
（４Ｄ）また、前記各実施形態では、返し部５Ａをマウスピース１１の挿入方向に沿って折り返したが、これに限定されるものではない。例えば、返し部は、前記挿入方向とその逆方向とに、予め交互に折り返されてもよい。また、マウスピース用補助具１Ａ，１Ｂは、予め一体化された状態でマウスピースを挿入されてもよい。但し、前述のようにマウスピースの挿入に伴ってその挿入方向に返し部が折り返される構成の方が、マウスピースの挿入が容易になる場合がある。
【００４７】
（４Ｅ）また、前記各実施形態では、マウスピース１１の両端１１Ａ，１１Ｂから一対のマウスピース用補助具を挿入したが、これに限定されるものではない。例えば、第１実施形態のマウスピース用補助具１が１つだけマウスピース１１に挿入されてもよい。
【００４８】
（４Ｆ）前記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、前記実施形態の構成の一部を省略してもよい。また、前記実施形態の構成の少なくとも一部を、他の前記実施形態の構成に対して付加又は置換してもよい。なお、特許請求の範囲に記載した文言のみによって特定される技術思想に含まれるあらゆる態様が本発明の実施形態である。
【符号の説明】
【００４９】
１、１Ａ，１Ｂ，２１，３１…マウスピース用補助具            ３…穴部
５…鍔部                      ５Ａ…返し部                  ５Ｂ…切り取り線
７…切り込み                  １０，１０Ａ，１０Ｂ，３０…マウスピース組立
１１…マウスピース            １３…封止部                  １５…環状部材
５１…係合部
【図１】
2018192131.tif 000003
【図２】
2018192131.tif 000004
【図３】
2018192131.tif 000005
【図４】
2018192131.tif 000006
【図５】
2018192131.tif 000007
【図６】
2018192131.tif 000008
【図７】
2018192131.tif 000009
【図８】
2018192131.tif 000010
【図９】
2018192131.tif 000011
【図１０】
2018192131.tif 000012
【図１１】
2018192131.tif 000013